(57)【要約】      （修正有）【課題】特に夏場の季節などに発生する激しい夕立、いわゆるゲリラ豪雨の際にも活用できる、簡単に取り外しのできるズボンの裾汚れ防止カバーの付いた靴を提供する。【解決手段】ａ）靴の履き口に取り付けたオープンファスナーの凸部１と、ｂ）合成繊維を二重に縫製、やや堅めに形態を保持し、ズボンよりやや太目の内側の繊維筒型の下部にオープンファスナーの一方の凹部２を取り付けた内側の筒状保護布３とを設ける。さらに、その内側筒状保護布より少し太めの靴の大部分を覆う保護布４を両者の上部で縫い合わせ、かつズボンと一体化させるためのゴム状紐５を付随した二重筒状保護カバーを、内側筒状保護布３のファスナー凹部２と靴のファスナー凸部１をジッパーで結合させて一体化する。【選択図】図１
0003178665.tif 000002
【実用新案登録請求の範囲】
【請求項１】
靴の履き口部分にオープンファスナー凸部を縫いつけたＡ部と、上部で縫い合わせた二重の筒状カバーの内側カバー下部にオープンファスナー凹部を縫い付けたＢ部とをジッパーで一体化した雨用濡れ汚れ防止用具。
【考案の詳細な説明】
【技術分野】
【０００１】  本考案は、特に夏場の季節などに発生する激しい夕立、いわゆるゲリラ豪雨の際にも活用できる、簡単に取り外しのできるズボンの裾汚れ防止カバーの付いた靴に関するものである。
【背景技術】
【０００２】  朝、出勤時には快晴という場合、スーツに長靴という人は居ないだろう。たとえ、午後に夕立の天気予報が出ていてもである。また雨の最中であってもビジネスマンはスーツに長靴は履きにくいものである。しかしながら外出中の移動の際に豪雨でスーツの裾が濡れていたり汚れていては、相手に与える印象もあまり良いとはいえない。また仕事以外の外出の場合でも同様である。
すなわち、急に見舞われる降雨に際して一般に行なう対応策としては、まずは折り畳み傘であるが、これは強い雨風や豪雨に対しては、ズボンの裾の濡れや汚れを殆ど回避できない。またレインコートも同様に、ズボンの裾の濡れや汚れを回避することはできない。これらに完全に対処するには、先に述べたようにゴムの長靴に上下のレインスーツを着用することであるが、これらのものはあまりにも持ち運びに不便であるし、スーツ着用時には相性が悪い。また雨が上がった際にはレインスーツは、大きな荷物になるし、ゴムの長靴から皮のビジネスシューズに履き替えることは更に大変である。現実的な対応策としては、撥水スプレーがあるが、高級ウール素材のスーツには染みなど生地の変質が懸念される。また耐久性の面で効果が持続しているかどうか判り難いという問題点がある。
【考案の概要】
【考案が解決しようとする課題】
【０００３】  ここ最近、地球規模の二酸化炭素大量放出による地球温暖化の影響によるものといわれる夏場の午後などに降る雨は、激しさを増しており、小さな折り畳み傘だけではとても防げるものではない。といって、スーツのビジネスマンにとってなかなか上下の雨合羽に長靴姿で得意先に訪問する訳にはいかないのが実状である。あるいは撥水スプレーでズボンの裾をコーティングする方法もあるが、ズボンに付く薬剤による染みの問題や、撥水スプレーの効果の持続性が短いことや、効果の持続性を確認することが困難であるなどの問題もあり、確実な普及に至っていない。
このような時にもスマートに折り目正しい印象を発揮してお得意様を訪問出来る様にするため、男性用、女性用（スラックス＋ジャケットのパンツスーツ）、更には仕事以外の服装の時にも、靴に取り外しが簡単な、ズボン裾汚れ防止カバーを付けて問題を解決しようとするものである。
【課題を解決するための手段】
【０００４】  本考案は、耐水性のある皮革または合成樹脂製の男性用、女性用（スラックス＋ジャケットのパンツスーツの際に履く靴）ビジネスシューズや防水性スニーカーなどの運動靴にオープンファスナーの凸部を縫い付け、撥水製の布製ズボン裾汚れ防止カバーに、またオープンファスナーの凹部を縫い付けてある内側カバーとを、図１のようにそれぞれ双方のオープンファスナーを繋ぎ合わせて靴と汚れ防止カバーを密着接合し、靴やズボンの裾の水漏れや土砂の跳ねなどによる汚れを防止することを特徴とするものである。さらにその汚れ防止カバーは、図３（３−ｃ）、（３）（４）のように靴と汚れ防止カバーをファスナーで密着接合してある部分に直接雨水が当たることの無いようにその部分を隠す。さらに靴の甲部分から靴のかかとまでを全て覆うように、汚れ防止カバーは内側カバーと外側カバーを上部で縫い合わせて２枚重ねに縫製し、このような方法を取る事により、ファスナーからの雨水の滲み込みの可能性を軽減できる。そしてズボンの裾を膝下まで確実にカバーで被い、カバー上部に付けてある紐またはゴム紐などによって膝下でとめて使用する。このカバー上部のゴムは、使用する人々のサイズに合わせて太さを調節できる機能を備えることによって急な雨によるズボンの裾の汚れ、雨水によって濡れてプレスラインが消えることを防止、或いは最近の局地豪雨によるズボンのずぶ濡れの状態も回避することができるわけである。
【考案を実施するための最良の形態】
【０００５】  靴を履くときに足を入れる開口部分（靴の履き口の部分）に、オープンファスナーの片方の凸部分、図２（１）（男性物の場合には長さ約３０ｃｍ程）を皮用工業ミシンで縫い付けたものをＡ部、図２参照とする。
次に、Ａ部およびズボンの下部を、雨濡れや汚れから防止するカバー、すなわち、Ｂ部  図３（３−ｃ）参照について説明する。Ｂ部は、次のような踝から膝下までの長さを被う筒状の、円周約４０ｃｍ〜５５ｃｍ、長さ約３５ｃｍ〜５０ｃｍの撥水性のある雨傘に使用するようなナイロン、ポリエステル、ポリオレフィン、ポリ塩化ビニルシートなどの合成繊維の布が二重になったものであり、ズボンに密着し、靴とも一体化する内側カバーと、やや幅の広い靴などの雨濡れや汚れを防止する外側カバーからなり、その内側カバーと外側カバーは、上部において縫い合わされ、かつゴム紐のような弾性体によりズボンと一体化されている。その上で、内側カバーの下部にオープンファスナーのもう片方の凹部分に上記の靴の履き口に縫い付けた凸部分の相方のファスナーである同じく長さ約３０ｃｍのファスナー凹部を縫い付ける。図３（３−ｃ）（２）参照。外側カバーはファスナー接合部分に雨水が直接当たらないよう、靴全体を隠すように、汚れ防止カバーは内側カバーと外側カバーの２枚重ねに縫製する。この内側カバーに外側カバーを重ねて上部を接合、縫製した筒状のカバーをＢ部とする。
このＡ部とＢ部を、図１のように靴側に縫い付けたオープンファスナーの凸部（１）と汚れ防止カバー内側に縫い付けたオープンファスナーの凹部（２）をジッパーにより接合する事により、雨用ズボン裾汚れ防止カバー付き靴が完成する。また二重カバーの上部の紐またはゴム紐により、ズボンと一体化される。
【実施例】
【０００６】  オープンファスナーの凸部を、靴の履き口の部分に縫い付けたものをＡ部とし、撥水性のあるポリエステル素材の布地を以下のように加工する。まず内側カバー、円周４７ｃｍ長さ４３ｃｍの布地を筒状に縫製し、さらに外側カバー、円周４８ｃｍ長さ４４ｃｍの布地も筒状に縫製し、二つの筒状の布の上部を重ね合わせ、それを三つ折に縫い合わせて空間を作り、その中に紐ゴムを通す。そして内側カバーの下部にオープンファスナーの凹部を縫い合わせる。これらの内側カバーと外側カバーを重ね合わせたもの全体をＢ部とする。
ズボン裾汚れ防止カバーとして使用する際には、このＡ部に縫い付けてあるオープンファスナーの凸部と、Ｂ部の内側カバー下部に縫い付けてあるオープンファスナー凹部それぞれをジッパーで繋ぎ合わせて接合し、汚れ防止カバーをズボンの上を覆うように膝下まで持ち上げ、紐ゴムを使用してズボンに接合、一体化し、固定する。
このような方法で両足の靴とズボン汚れ防止カバーを一体化して着用して、やや強い雨の中を６０分間、歩行した。その後、オープンファスナーを外してズボンの濡れ具合を確かめたところ、ズボンの裾の濡れや汚れなども全く無く、ズボンの裾の線も元どおりであることを確認できた。また、取り外したズボン裾汚れ防止カバーも小さく折り畳んで収納し、持ち運びに支障はなかった。
【考案の効果】
【０００７】  上述のように、本考案の雨用ズボン裾汚れ防止カバーは雨傘に用いる撥水生のある合成繊維で製品を構成している。この製品の特徴は布製であるが故に、常時携帯が、容易である。そのため必要な時に簡単に取り出して瞬時に使用することが可能であり、またさらにその必要性がなくなればまた瞬時に取り外し、小さく折り畳み簡単に収納できる点にある。また雨が上がった後には、何事も無かったように取り外しが可能で一瞬のうちに折り目正しいスーツ姿に戻ることができる。また裾汚れ防止カバーは、取りはずしたのちは、小さく折り畳むことができ、簡便に持ち運びができる。
【産業上の利用可能性】
【０００８】  急に降りだす雨には、現在ある方法はこれまで述べてきたように折り畳み傘、レインコート、撥水スプレー、長靴、上下のレインスーツが上げられるが、どれにも問題点があった。本考案は、雨用ズボン裾汚れ防止カバーが必要になったとき何時、如何なる時にも対応できる即効性、またこのような事態が去り、雨用ズボン裾汚れ防止カバーが不必要になった時にはすぐに収納できる柔軟性など、使用している時の効果の確実性と不要な時には速やかに簡便に旧態に複せることを特徴とする雨用ズボン裾汚れ防止靴であり、新たな分野を開拓することができる。
【図面の簡単な説明】
【０００９】
【図１】Ａ部、Ｂ部を接合した雨用ズボン裾汚れ防止カバー付靴の一体化した全体図
【図２】Ａ部、靴の履き口にオープンファスナー凸部を縫い付けた状態図
【図３】（３−ａ）布を筒状に縫製した外側カバー  （３−ｂ）布を筒状に縫製した内側カバー  （３−ｃ）Ｂ部、雨用ズボン裾汚れ防止カバー、一体図
【符号の説明】
【００１０】  １．オープンファスナー凸部
２．オープンファスナー凹部
３．雨用ズボン裾汚れ防止カバー内側
４．雨用ズボン裾汚れ防止カバー外側
５．内側カバーと外側カバーの接合部（ゴム紐装着部）
【図１】
0003178665.tif 000003
【図２】
0003178665.tif 000004
【図３】
0003178665.tif 000005